(57)【要約】本発明は、携帯型テレビジョン信号処理装置上で複数素子アンテナシステムを展開する方法及び装置に係る。該システムは、回転減衰器及び手動解放機構によって抑制されるピニオンにおいて係合される複数のスプリング付きラックを利用する。各個別のラックは、軸の周囲にアンテナ素子を回転させるよう使用される回転機構に対して取り付けられる。スプリングは、アンテナがその格納状態にある際に圧縮され、手動解放機構を介して解放される。解放されるラックアンドピニオンシステムは、アンテナ素子を展開配置へと夫々広げる複数の回転機構をバイアスする。
2009506669.tif 000002
【特許請求の範囲】
【請求項１】
装置であって、
第１の軸の周囲を中心とする第１の回転方向において第１のアンテナを回転可能に担持する第１の機構と、
前記第１の軸に対して平行に配置される第２の軸の周囲を中心とする第２の回転方向において第２のアンテナを回転可能に担持する第２の機構と、
前記第１のアンテナ及び前記第２のアンテナを同時に回転させるよう前記第１の機構及び前記第２の機構に対して結合される第３の機構と、
を有する装置。
【請求項２】
前記第３の機構は、ラックアンドピニオンシステムを有する、
請求項１記載の装置。
【請求項３】
前記第３の機構は、圧縮スプリングと手動解放機構とを有し、
前記手動解放機構は、機器を有し、該機器は、前記圧縮スプリングを圧縮状態に保持し、且つ該圧縮スプリングを該圧縮状態から選択的に解放するユーザによる始動に応じる、
請求項１記載の装置。
【請求項４】
オン状態及びオフ状態を有する電源スイッチを更に有し、
前記機器は、前記ユーザによる始動に応じて前記電源スイッチの状態を変更する、
請求項３記載の装置。
【請求項５】
アンテナを展開する方法であって、
前記アンテナを展開する要求を受ける段階と、
該要求に応じてスプリングを圧縮状態から解放する段階と、
該圧縮状態から解放される該スプリングに応じて、前記アンテナの第１の素子を第１の軸の周囲に、且つ前記アンテナの第２の素子を第２の軸の周囲に、同時に回転させる段階と、
夫々の位置において位置付けられる前記アンテナの前記第１及び第２の素子に応じて、前記アンテナの前記第１及び第２の素子の前記回転を停止する段階と、
を有する方法。
【請求項６】
前記スプリングを前記圧縮状態から解放する前記段階は、電源スイッチを始動させる段階を更に有する、
請求項５記載の方法。
【請求項７】
テレビジョン信号処理機器であって、
第１の軸の周囲を中心とする第１の回転方向において第１のアンテナを回転可能に担持する第１の機構を有する、第１のアンテナ素子と、
前記第１の回転機構をバイアスし、それによって前記第１の軸の周囲における前記第１の回転方向において前記第１のアンテナ素子を回転させ、また第１の圧縮スプリングを有する、第１のラックと、
第２の軸の周囲を中心とする第２の回転方向において第２のアンテナを回転可能に担持する第２の機構を有する、第２のアンテナ素子と、
前記第２の回転機構をバイアスし、それによって前記第２の軸の周囲における前記第２の回転方向において前記第２のアンテナ素子を回転させ、また第２の圧縮スプリングを有する、第２のラックと、
回転減衰手段と、
前記第１のラック及び前記第２のラックを同時に係合させるピニオンと、
を有し、
該ピニオンは、前記回転減衰手段に対して接続され、前記ピニオンの回転速度が前記回転減衰手段の回転に応じて制御されるようにする、
テレビジョン信号処理機器。
【請求項８】
手動解放機構を更に有し、
該手動解放機構は、前記第１の圧縮スプリング及び前記第２の圧縮スプリングを圧縮状態において維持する手段と、前記第１の圧縮スプリング及び前記第２の圧縮スプリングを選択的に解放する手段と、を有する、
請求項７記載のテレビジョン信号処理機器。
【請求項９】
オン状態及びオフ状態を有する電源スイッチを更に有し、
前記手動解放機構は、該電源スイッチの状態を変更する手段を更に有する、
請求項８記載のテレビジョン信号処理機器。
【請求項１０】
オン状態及びオフ状態を有する電源スイッチを更に有し、
前記第１の回転機構は、前記電源スイッチの前記状態を変更する手段を更に有する、
請求項８記載のテレビジョン信号処理機器。
【請求項１１】
装置であって、
第１の軸の周囲を中心とする第１の回転方向において第１のアンテナ素子を回転させる手段と、
第２の軸の周囲を中心とする第２の回転方向において第２のアンテナ素子を回転させる手段と、
前記第１のアンテナ素子及び前記第２のアンテナ素子の同時展開を維持する手段と、
前記第１のアンテナ素子及び前記第２のアンテナ素子の前記回転の速度を制御する手段と、
前記第１のアンテナ素子及び前記第２のアンテナ素子の前記同時展開を選択的に開始する手段と、
を有する装置。
【請求項１２】
前記第１のアンテナ素子及び前記第２のアンテナ素子の前記同時展開を選択的に開始する前記手段に応じて電源スイッチの前記状態を変更する手段、
を更に有する請求項１１記載の装置。
【発明の詳細な説明】
【技術分野】
【０００１】
本発明は、携帯型電子機器に対するアンテナシステムに係り、より特には、携帯型テレビジョン信号処理機器に対する展開可能なアンテナシステムに係る。
【背景技術】
【０００２】
手持ちサイズの携帯型テレビジョン受像機及び携帯型ラジオ受信機等である携帯型テレビジョン信号処理機器は、大変普及しており、かかる機器に対するアンテナシステムは、周知である。しかしながら、かかる携帯型機器の多くがデジタル信号を受信するよう設計されているため、アンテナシステムの性能は、より重要且つ複雑になっている。かかるアンテナはしばしば、アナログのものよりも更に効率的でなければならず、入力信号の偏波（ｐｏｌａｒｉｚａｔｉｏｎ）は、更に注意深く考慮されなければならず、また、ゴースト発生及びマルチパス等の影響は、より不利益となる。
【０００３】
携帯型機器上のアンテナはしばしば、乱暴な扱いを受ける。運搬中の損傷に対して弱くはない位置へとアンテナをリトラクトさせること（ｒｅｔｒａｃｔｉｎｇ）は、望ましい。リトラクトされるアンテナは、リトラクト状態において、展開配置におけるよりも小さな容積で格納され得る。
【発明の開示】
【発明が解決しようとする課題】
【０００４】
したがって本発明は、最適な稼働状態へと容易に展開可能であり得、且つ運搬中の容積の低減及び保護に対して容易に格納され得る、アンテナシステムを有する、ことを目的とする。
【課題を解決するための手段】
【０００５】
一態様において、本発明は、携帯型テレビジョン信号処理装置上で複数素子アンテナシステム（ａ  ｍｕｌｔｉ−ｅｌｅｍｅｎｔ  ａｎｔｅｎｎａ  ｓｙｓｔｅｍ）を展開する方法及び装置を有する。該システムは、ラックアンドピニオンシステムをバイアスするよう、スプリング及び回転減衰器を利用する。各個別のラックは、軸の周囲にアンテナ素子を回転させるよう使用される回転機構に対して取り付けられる。スプリングは、アンテナがその格納状態にある際に圧縮され、手動解放機構を介して解放される。解放されるスプリング付き（ｓｐｒｉｎｇ  ｌｏａｄｅｄ）ラックアンドピニオンシステムは、アンテナ素子をその展開配置へと広げる。
【０００６】
他の態様において、本発明は、オン状態及びオフ状態を有する電源スイッチを更に有する。システムは、ラックアンドピニオンシステムをバイアスするようスプリング及び回転減衰器を利用する。解放されるスプリングは、軸の周囲にアンテナ素子を回転させるよう使用される回転機構を同様にバイアスするラックアンドピニオンシステムのラックを広げる。回転機構は更に、回転減衰器がアンテナ素子をその展開配置へと広げる際、電源スイッチの状態を変更するよう構成される。手動でのアンテナ素子のリトラクトは、回転機構の方向を反転させ、それによって電源スイッチの状態を変更する。
【発明を実施するための最良の形態】
【０００７】
本発明の望ましい一実施例は、２つの電気的に独立したアンテナを用いるシステムを教示する。該２つのアンテナは、それらに同調運動をさせるラックアンドピニオンシステムによって機械的に結合される。スプリングは、システムに事前に搭載され、常にアンテナの展開される位置又は「アップ（ｕｐ）」位置に向かってアンテナをバイアスする。回転減衰器は、ゆっくりと潤滑な運動を維持するよう、アンテナが駆動される速度を制御する。一方又は両方のアンテナを下方に押すことで、両方のアンテナが折り畳まれた状態でシステムが閉じるようラッチする。スプリング付きボタン（ｓｐｒｉｎｇ−ｌｏａｄｅｄ  ｂｕｔｔｏｎ）がピニオンの回転を防ぐため、システムは、始動ボタンが押されるまで、ラッチされた位置において保持される。ボタンは、ボタンスプリングの先端上で潤滑ボタンプランジャ（ｌｕｂｒｉｃｉｏｕｓ  ｂｕｔｔｏｎ  ｐｌｕｎｇｅｒ）によって接触されるため、潤滑な始動を有する。ボタンがボタンスプリングを越えて（ｏｖｅｒｃｏｍｉｎｇ）押し下げられる際、ボタンキャッチは、ピニオンを除いて（ｃｌｅａｒ  ｏｆ）動かされ、システムがアンテナスプリングによって開放されて駆動されるようにする。
【０００８】
この望ましい実施例の追加的な特徴は、アンテナの一方が機器上の電源スイッチを始動させ得る、ということである。アンテナボタンを始動させることでアンテナは展開され、機器をオンにする。アンテナの折畳みは、電源スイッチを解放することによって装置をオフにし得る。
【０００９】
典型的な実施例は、各々が単一の素子を有する２つの電気的に絶縁されたアンテナを有するシステムを説明するが、当業者は、本発明がダイポールアンテナ等である単一の複数素子アンテナにも同様に効果的である、ことを認識する。
【００１０】
図１は、本発明に従ったリトラクト状態にあるアンテナシステム（１００）の典型的な一実施例を示す。図１は、第１のアンテナ素子（１１０）、第２のアンテナ素子（１２０）、始動ボタン（１３０）、フレーム（１４０）、回転減衰器（１５０）、及び第１のラック（１６０）を示す。
【００１１】
図１は、リトラクト配置にある第１のアンテナ素子（１１０）及び第２のアンテナ素子（１２０）を有する、アンテナシステム（１００）を示す。携帯型テレビジョン受像機器におけるアンテナシステム（１００）の一典型的な使用は、携帯型テレビジョン受像機器の筐体内において取り付けられるアンテナシステム（１００）を有し、フレーム（１４０）及びアンテナ素子（１１０，１２０）の上方表面が筐体（図示せず）と同一平面にある。したがってアンテナシステム（１００）は、機器の輸送中に筐体内において保護される。
【００１２】
リトラクト配置において、第１のスプリング及び第２のスプリング（図示せず）は、第１のラック及び第２のラック（図示せず）によって圧縮された圧縮状態で保持される。ラックは、回転減衰器（１５０）に対して取り付けられるピニオン（図示せず）によって回転しないようにされる。スプリング付きボタンがピニオンの回転を防ぐため、始動ボタン（１３０）は、押し下げられるまで、システムをラッチ位置において保持する。
【００１３】
図２は、本発明に従った展開状態にあるアンテナシステムの典型的な一実施例を示す。図２は、第１のアンテナ素子（２１０）、第２のアンテナ素子（２２０）、始動ボタン（２３０）、フレーム（２４０）、回転減衰器（２５０）、第１のラック（２６０）、第１のスプリング（２６５）、第１の回転機構（２７０）、及び第２の回転機構（２８０）を示す。
【００１４】
図２は、展開配置にあるアンテナシステム（２００）を示す。スプリング付きボタンがピニオンの回転を防ぐため、始動ボタンが押されるまで、システムは、ラッチ位置において保持される。始動ボタン（２３０）が押し下げられると、アンテナ素子（２１０，２２０）は、夫々第１の回転機構（２７０）及び第２の回転機構（２８０）の周囲に回転される。始動ボタン（２３０）は、ボタンスプリング先端上で潤滑ボタンプランジャによって接触されるため、潤滑な始動を有する。ボタンがボタンスプリングを越えて押し下げられる際、ボタンキャッチは、ピニオンを除いて動かされ、システムがアンテナスプリングによって開放されて駆動されるようにする。
【００１５】
アンテナ組立体（２００）が展開配置にある際、フレーム（２４０）は、機器筐体（図示せず）と同一平面に残る。しかしながら、第１及び第２のアンテナ素子は、機器が使用されていない際にアンテナ素子を保護する機器筐体の凹部から出て、所定の稼働配置まで回転される。アンテナ素子が回転される速度は、回転減衰器（２５０）によって制御される。回転減衰器（２５０）は、ピニオン（図示せず）の回転速度を制御する。ピニオンは、第１のラック（２６０）及び第２のラック（図示せず）が第１のスプリング（２６５）及び第２のスプリング（図示せず）によってバイアスされる速度を制御する。第１及び第２のラック（２６０）は、同様に、第１及び第２の回転機構（２７０，２８０）をバイアスする。該回転機構は、第１及び第２のアンテナ素子（２１０，２２０）を第１及び第２の軸の周囲に夫々回転させる。
【００１６】
図３は、本発明に従ったアンテナ展開機構（３００）の典型的な一実施例の断面図である。図３は、第１のアンテナ素子（３１０）、第２のアンテナ素子（３２０）、フレーム（３４０）、回転減衰器（３５０）、第１のラック（３５５）、第２のラック（３６５０）、第１のスプリング（３６５）、第２のスプリング（３７５）、第１の回転機構（３７０）、及び第２の回転機構（３８０）を示す。
【００１７】
図３は、展開配置にあるアンテナシステム（３００）を下方面を有して示す。回転減衰器（３５０）は、ピニオン（図示せず）に対して取り付けられ、アンテナ素子が展開される速度を制御し、アンテナ素子の潤滑な同時展開を確実なものとする。
【００１８】
図４は、本発明に従ったアンテナ展開機構（４００）の典型的な一実施例の断面図である。図４は、ピニオン（４１０）、第１のラック（４２０）、第２のラック（４３０）、第１の回転機構（４７０）、及び第２の回転機構（４８０）を示す。
【００１９】
図４は、明確にするよう、回転減衰器を除いたアンテナシステム（４００）を示す。始動ボタンが押し下げられると、ピニオン（４１０）が解放される。第１のスプリング（４２０）は、第１のラック（４２５）をバイアスし、第２のスプリング（４３０）は、第２のラック（４３５）をバイアスする。第１及び第２のラック（４２５，４３５）の蘊奥は、第１及び第２のラック（４２５，４３５）において歯と係合するピニオン（４１０）によって同調される。ピニオンが回転する速度は、回転減衰器（図３中参照符号３５０）によって制御される。
【００２０】
第１及び第２のラック（４２５，４３５）がバイアスされると、該ラックは同様に、第１の回転機構（４７０）及び第２の回転機構（４８０）をバイアスする。各回転機構（４７０，４８０）は、夫々のアンテナ素子（４９０，４９５）に対して取り付けられる。回転機構（４７０，４８０）がバイアスされると、上方向バイアスは、アンテナ素子（４９０，４９５）に対して適用され、該素子を第１の軸及び第２の軸の周囲に夫々回転させる。アンテナ素子（４９０，４９５）は、所定の展開配置に達するまで、夫々の軸の周囲に回転される。機械的ストップ（図示せず）は、所定の展開配置が到達され次第、ピニオン（４１０）、回転機構（４７０，４８０）、又はアンテナ素子（４９０，４９５）のいずれかの回転を停止させるよう使用され得る。
【００２１】
図５は、本発明に従ったアンテナ展開に対する解放機構（５００）の典型的な一実施例の断面図である。図５は、ピニオン（５１０）、ストップ（５２０）、始動ボタン（５３０）、回転減衰器（５５０）、第１の回転機構（５７０）、及び第２の回転機構（５８０）を示す。
【００２２】
始動ボタン（５３０）がユーザによって押される際、ピニオン（５１０）、ピニオンの回転を妨害するストップ（５２０）、及びアンテナ素子は、前述の通り展開される。この典型的な実施例では、ピニオン（５１０）は、ボタンスプリング（図示せず）によって下方から担持される。始動ボタン（５３０）がボタンスプリングを越えて押し下げられる際、ストップ（５２０）は、ピニオンを除いて動かされ、システムがアンテナスプリングによって開放されて駆動されるようにする。
【００２３】
典型的な一実施例では、アンテナシステム（５００）は、展開稼働中に電源スイッチ（図示せず）が可動の回転機構によって始動されるように一方又は両方の回転機構（５７０，５８０）が位置付けられるよう、構成され得る。したがって、始動ボタン（５３０）を押し下げることによって携帯型テレビジョン信号処理機器をオンにすると、装置の電源はオンになる。アンテナ素子がリトラクト配置に手動で戻される際、装置は、電源スイッチが再度始動されて可動の回転機構によって元のオフ状態に戻され得るように一方又は両方の回転機構（５７０，５８０）が位置付けられるよう、構成され得る。したがって、アンテナをリトラクト配置に手動で戻すことで、携帯型テレビジョン受像機はオフになる。
【図面の簡単な説明】
【００２４】
【図１】本発明に従ったリトラクト状態にあるアンテナシステムの典型的な一実施例を図示する。
【図２】本発明に従った展開状態にあるアンテナシステムの典型的な一実施例を図示する。
【図３】本発明に従ったアンテナ展開機構の典型的な一実施例の断面図である。
【図４】本発明に従ったアンテナ展開機構の典型的な一実施例の断面図である。
【図５】本発明に従ったアンテナ展開に対する解放機構の典型的な一実施例の断面図である。
【図１】
2009506669.tif 000003
【図２】
2009506669.tif 000004
【図３】
2009506669.tif 000005
【図４】
2009506669.tif 000006
【図５】
2009506669.tif 000007
【国際調査報告】
2009506669.tif 000008
2009506669.tif 000009